(57)【要約】      （修正有）【課題】盗難防止効果が高く、自転車の安全走行を可能にする施錠装置。【解決手段】脚部２とスタンドロック板３を揺動可能に備えた自転車用スタンドの取付板１に掛止部８を設け、スタンドロック板にロック部９を設けて、脚部の起立位置で掛止部８にロック部９を嵌合させてスタンドをロックするようにした自転車用スタンド装置において、取付板１に設けたロックホルダー６に、自転車用錠１２の錠杆１３の施錠、開錠動作に従動して往復するワイヤー１９の末端部１９”を固定したロックピン１１を摺動可能に保持させる一方、スタンドロック板３に、上記スタンドロック位置においてロックホルダーに接近して錠杆１３の施錠により突出するロックピン１１と係合して、該ロック板の解除方向の回動を阻止するストッパー１０を設けてなる自転車用スタンド装置である。【選択図】図２
2004284502.tif 000002
【特許請求の範囲】
【請求項１】
脚部とスタンドロック板を揺動可能に備えた自転車用スタンドの取付板に掛止部を設け、脚部の起立位置でスタンドロック板を揺動して、該ロック板のロック部を上記取付板の掛止部に嵌合させてスタンドをロックするようにした自転車用スタンド装置において、取付板にロックホルダーを設けて、このホルダーに、自転車用錠の錠杆の施錠、開錠動作に従動して往復するワイヤーの末端部を固定したロックピンを摺動可能に保持させる一方、スタンドロック板に、上記スタンドロック位置において錠杆の施錠により突出するロックピンと係合して、該ロック板の解除方向の回動を阻止するストッパーを設けたことを特徴とする自転車用スタンド装置。
【請求項２】
前記ロックホルダーは、上下に支持板を具えてその間に前記ロックピンを嵌装するようにした断面コ字形に形成され、上記ホルダーの上部支持板に、雌ねじを内面に設けた筒形の支持軸を固定し、この支持軸の下部に前記ロックピンを摺動自在に嵌合させるとともに、該ピンの下端部を上記ホルダーの下部支持板に軸受させ、この下部支持板とロックピンの上部に設けたばね受けとの間に、ロックピンを常時開錠方向に付勢する復元ばねを介設し、上記支持軸の上端から、前記末端部に大径部を固定したワイヤーを挿通させた筒形のアジャストボルトを螺合し、前記自転車用錠の錠杆を施錠位置に置いて上記ワイヤーの大径部をロックピン内の当接部に圧接させつつ、該ピンの下部外周に設けた嵌合指示線が下部支持板の下面に現れるまでアジャストボルトの螺入を進めて、指示位置まで上記支持軸内のロックピンを下降せしめた後、自転車用錠の錠杆を開錠してワイヤーの末端部を開錠位置に上昇させるとともに、上記復元ばねの付勢により開錠位置までロックピンを追従上昇させ、この開錠位置でアジャストボルトの中間に螺合させたナットを支持軸の上面に緊締することにより、ロックホルダー内におけるロックピンの嵌装位置を位置決めするように構成したことを特徴とする請求項１記載の自転車用スタンド装置。
【発明の詳細な説明】
【０００１】
【産業上の利用分野】
本発明は、自転車用のスタンド装置に関し、自転車を停めて、起立状態にしてロックしたスタンドの脚部を、更に自転車に取り付けた自転車用錠の施錠操作に連動するワイヤーとロックピンを介して、スタンドのロック位置を自動的に二重に施錠させるようにしたことを特長とするものである。
【０００２】
【従来の技術】
従来の自転車用スタンド装置において、スタンドの脚部と自転車用錠とをワイヤーで連結して、脚部の起立動作によりワイヤーを牽引させて、脚部の起立と同時に自転車用錠を施錠するようにした装置がある（例えば、特許文献１）。
また、自転車用スタンド装置において、サドルに装置した自転車用錠に連動させて起立状態のスタンドを自動的にロックするようにしたものもある（例えば、特許文献２、３）。
さらに、自転車の前輪用と後輪用とにそれぞれ備えた２個の錠前をワイヤーで連結して、前後の錠前を同時に施錠、開錠できるようにした自転車の施錠装置もある（例えば、特許文献４）。
【０００３】
特許文献１    特開２００２−１７８９７０号公報（第１頁、図１）
特許文献２    特開平１１−５９２８号公報（第１頁、図１）
特許文献３    特開平１０−２８７２８５号公報（第１頁、図１）
特許文献４    特開２００１−１３２３００号公報（第１頁、図１）
【０００４】
【発明が解決しようとする課題】
特開２００２−１７８９７０号公報（特許文献１）の装置は、スタンドを起立させるときに回転する脚部側からの牽引動作により自転車用錠の錠杆を施錠位置に移動させるようにしているので、何かの弾みでワイヤーが引っ張られると不用意に自転車が施錠されるおそれがある。
特開平１１−５９２８号公報、特開平１０−２８７２８５号公報（特許文献２、３）の装置は、自転車の施錠操作により、サドルを使用不能に傾斜させるようにしたもので、施錠状態にある自転車の外観に違和感があり、また、センタースタンドのために不安定感があり、キャリアが取り付け難い、自転車に荷物を載せにくい等の問題があり、その上に、ワイヤーの牽引によりスタンドをロックする構造のために、ワイヤーが伸びるとロックが作動しなくなるおそれがあって、常時開錠のためのキーを携帯する必要がある。また、キーを持たずにロックすると、スタンドの起立とサドルの傾斜を解除できなくなるという不便があった。
特開２００１−１３２３００号公報（特許文献４）の装置は、車体の前後にわたって露出しているワイヤーに接触すると不用意にロックが作動する危険がある。
また、長尺のワイヤーを使用しているので、ワイヤーに伸びを生ずると施錠操作にスタンドのロックが連動しない場合が生ずるなどの不安があった。
【０００５】
上記４例の先行技術は、何れもワイヤーの牽引によって自転車用錠を施錠しようとするものであったので、何らかの弾みでワイヤーが引っ張られると不用意に施錠動作を起こす危険があるという共通の欠点を有する。
以上のことから本発明が解決しようとする課題は、スタンドと自転車用錠を結ぶワイヤーを、自転車に取り付けられている錠前側からの押し動作をスタンド側のロックに伝達させることによりスタンドを施錠させるようにすることによって、ワイヤーの引っ張りを利用していた上記従来装置の欠点を除去したスタンドロック装置を提供しようとするものである。
【０００６】
【課題を解決するための手段】
そこで本発明は、脚部とスタンドロック板を揺動可能に備えた自転車用スタンドの取付板に掛止部を設け、脚部の起立位置でスタンドロック板を揺動して、該ロック板のロック部を上記取付板の掛止部に嵌合させてスタンドをロックするようにした自転車用スタンド装置において、取付板にロックホルダーを設けて、このホルダーに、自転車用錠の錠杆の施錠、開錠動作に従動して往復するワイヤーの末端部を固定したロックピンを摺動可能に保持させる一方、スタンドロック板に、上記スタンドロック位置において錠杆の施錠により突出するロックピンと係合して、該ロック板の解除方向の回動を阻止するストッパーを設けたことを特徴とする自転車用スタンド装置を提供するものである。
【０００７】
上記のように構成した本発明スタンド装置は、自転車を停めてスタンドを立て、ロック板を揺動して、取付け板の掛止部にロック板のロック部を掛止させてスタンドをロックした後、自転車用錠を施錠すると、錠杆の施錠動作に連動してワイヤーの末端部がホルダー内でロックピンを押し下げ、ホルダーからロックピンを突出させる。ホルダーから突出したロックピンは、上記スタンドのロック操作時の揺動にともなってロックホルダーに接近したスタンドロック板のストッパーと係合する位置に達して、該ロック板の解除方向の回動を阻止するように作動する。
なお、スタンドロック板がロック位置にないときは、仮にワイヤーに伸び（押し）が生じてもロックピンとスタンドロック板のストッパーとの距離が離れているので、不用意にスタンドが施錠されるおそれはない。また、錠前側に向けてワイヤー側からの押しが生じた場合でもワイヤーの基端部と開錠位置の錠杆との距離が離れているので、自転車用錠を不用意に施錠させるおそれはない。
以上のように本発明に係る自転車用スタンド装置は、自転車用錠の施錠と、ロック状態のときのストッパーとによるスタンドロック板の回動阻止との二重の施錠により自転車をロックし、盗難を防止するとともに安全な自転車の使用ができる。
【０００８】
本発明に係る自転車用スタンド装置において、ロックホルダーを、上下に支持板を具えてその間に前記ロックピンを嵌装するようにした断面コ字形に形成し、ホルダーの上部支持板に、雌ねじを内面に設けた筒形の支持軸を固定し、この支持軸の下部にロックピンを摺動自在に嵌合させるとともに、該ピンの下端部をホルダーの下部支持板に軸受させ、この下部支持板とロックピンの上部に設けたばね受けとの間に、ロックピンを常時開錠方向に付勢する復元ばねを介設し、支持軸の上端から、末端部に大径部を固定したワイヤーを挿通させた筒形のアジャストボルトを螺合し、自転車用錠の錠杆を施錠位置に置いて上記ワイヤーの大径部をロックピン内の当接部に圧接させつつ、該ピンの下部外周に設けた嵌合指示線が下部支持板の下面に現れるまでアジャストボルトの螺入を進めて、指示位置まで支持軸内のロックピンを下降せしめた後、自転車用錠の錠杆を開錠してワイヤーの末端部を開錠位置に上昇させるとともに、上記復元ばねの付勢により開錠位置までロックピンを追従上昇させ、この開錠位置でアジャストボルトの中間に螺合させたナットを支持軸の上面に緊締することにより、ロックホルダー内におけるロックピンの嵌装位置を位置決めするように構成した請求項２の発明によれば、ロックピン内におけるワイヤーの末端部の固定位置の調整がきわめて容易に、簡単に、かつ、設定どおりに均一にできるので、ワイヤー末端部の取付け操作の作業性が著しく向上する。
また、図５に示すように、ワイヤーの末端部を虫ねじでロックピンの外側から固定するようにした一般慣用のワイヤー止め方法に比べて、虫ねじのような小さな部品の紛失がなく、ねじの圧接によるワイヤーの損傷を防いでスタンドロックの耐久性を増すことができ、不良品の発生を排除できる。
【０００９】
【実施例】
以下に、本発明に使用する自転車用錠にサークル錠を採用した場合の実施例を図面について説明する。
図１は、本発明装置を取り付けたスタンドの撥ね上げ状態を示す側面図、図２は、スタンドを立ててスタンドロックを掛けた状態の側面図、図３は、本発明に使用するサークル錠の施錠とワイヤーとの関連を説明する略示図、図４は、サークル錠の施錠に連動するワイヤーとロックホルダーおよびロックピンとの関連を示す一部切欠立面図、図５は、ワイヤーの末端部を虫ねじで固定する場合の一部切欠立面図、図６は、ロックホルダーおよびロックピンの底面図である。
【００１０】
図において、１は、自転車本体後部に固定されるスタンドの取付け板、２は、基部を取付け板１の裏側に沿わせた脚部、３は、取付け板１の表側に沿い、脚部２と共通の枢着軸４で回動自在に取付け板１に枢着されたロック板、５は、脚部２とロック板３のスタンド牽引用ばねである。
６は、取付け板１の前縁部分（図１、２の左側）に鋲止めされ、上部支持板６ａと、下部支持板６ｂを前方に曲げてコ字形に形成され、上下に軸孔６ｃ、６ｄを設けたロックホルダー、７は、ロック板３の支点軸、８は、取付け板１の前縁部に設けた掛止部、９は、ロック板３の前縁部に形成したロック部で、このロック部９は、脚部２を起立させ、支点軸７を支点としてロック板３を図示時計回りに揺動したときに取付け板１の掛止部８と嵌合してスタンド（脚部２）をロックするように作動する（図２参照）。
【００１１】
図２に示すように、スタンドをロックすると、ロック板３の前縁に具えた上記ロック部９の後方に一連一体に形成したストッパー１０がロックホルダー６の下方、図示右手にその位置を変える。ロックホルダー６は、後述のように自転車用錠１２を施錠、開錠するときの錠杆１３の動作に連動するワイヤー１９の末端部１９”を内蔵したロックピン１１を摺動自在に嵌装し、図２に示すように、スタンドをロックした状態のもとで、自転車用錠を施錠すると、ロックホルダー６の下方にロックピン１１が図中虚線で示す位置まで突出し、ストッパー１０と係合する位置に突出した該ピン１１に遮られて、ロック板３のロック解除方向（図示反時計回り）への揺動が阻止される。
【００１２】
上記のようにしてロックピン１１を作動させる自転車用錠１２は、図３に示している。
この発明に使用する自転車用錠１２に特に制限はないが、この実施例では主として自転車の後ホークに取り付けられるサークル錠型の錠前を採用している。
サークル錠１２の錠杆１３は、一般の錠杆と同様に半円弧形をなし、従来のサークル錠と同様に、施錠、開錠動作に伴って、錠ケース１４の下端で向かい合う開口部１５間を往復する。
錠杆１３は、下面の適宜位置に突出する連動ピン１６を一体に備え、施錠行程（図示時計回り）の終端近くにこのピン１６が移動したときに、錠ケース１４の底部に設けたガイド部１７に嵌装したスライダー１８と接触して後側から施錠行程の終端に至るまで該スライダー１８を押し、スライダー１８に円形の基端部１９’を嵌着したワイヤー１９を介して前記ロックピン１１に施錠動作を伝動する。
なお、１８’はスライダー１８の復元ばね、１８”はスライダー１８の往復行程、１３’は、施錠行程の終端に近づく錠杆１３の先端部を示す（図４参照）。
【００１３】
ロックホルダー６に摺動自在に嵌装した前記ロックピン１１とワイヤー１９との関連は、図３に示している。
ロックホルダー６は、上部支持板６ａに、内面に雌ねじ２０’を具えた筒形の支持軸２０を固定し、支持軸２０の下部にロックピン１１を図示上下に摺動自在に嵌合させている。ロックピン１１の下端部はホルダー６の下部支持板６ｂに軸受され、下部支持板６ｂとロックピン１１の上部に設けたばね受け２１との間に、ロックピン１１を常時開錠方向（上方）に付勢する復元ばね２２を介設する一方、支持軸２０の上端から、末端部１９”に大径部２３を固定したワイヤー１９を挿通させた筒形のアジャストボルト２４を螺合し、大径部２２をロックピン１１の内面に設けた当接部２５に圧接させつつ、アジャストボルト２４の中間に螺合させたナット２６を支持軸２０の上面に緊締することにより、ワイヤー１９の末端部１９”をロックピン１１に接続した状態を保持する。
【００１４】
なお、図中、２７は、ロックホルダー６内におけるロックピン１１の嵌合位置を位置決めさせるために、該ピン１１の下部外周に設けた嵌合指示線である。
アジャストボルト２４内にワイヤー１９の末端部１９”と大径部２２を挿入して、ナット２６を支持軸２０の上面に緊締する前に、自転車用錠１２の錠杆１３を施錠位置に移動させると、ワイヤー１９の大径部２２と当接部２５との圧接によりロックピン１１が下降する。この状態のもとで、ロックホルダー６の下部支持板６ｂの裏面に嵌合指示線２７が表れるまで雌ねじ２０’に対するアジャストボルト２４の螺入を進めた後、自転車用錠１２の錠杆１３の施錠を開放すると、復元ばね２２の付勢によってロックピン１１がワイヤー１９の上昇に追従して上昇する。上昇したロックピン１１の上端が支持軸２０の裏面に当接した位置で、アジャストボルト２４上のナット２６を支持軸２０の上面に緊締すると、ロックホルダー６内におけるロックピン１１の開錠位置と施錠位置とが決まり、ロックピン１１内におけるワイヤー１９の大径部２２とロックピン１１の当接部２５との当接状態も保持される。
この実施例において、上記大径部２２は、貫通孔を具えた適宜長の金属管にワイヤー１９を挿通し、外周からかしめ付けることによって、末端部１９”の損傷を防いでワイヤー１９上に強固に固定されている。
【００１５】
なお、図５は、図３のようにしてワイヤーを固定する本発明による方法と対比するために、従来一般慣用のワイヤーの末端部を固定する場合のワイヤーの固定方法を示すものである。
図５において、ワイヤー１９の末端部１９”は、ロックピン１１の側面に設けたねじ孔２８にねじ込んだ虫ねじ２９の内端を押し付けることによってロックピン１１内に固定されているが、施錠時における該ピン１１の突出長さを調整する場合に該ねじ２９を弛めたり、締め直す操作に伴って末端部１９”が拡開して、押し広げられたり損傷して、調整操作が不能になることがある。このような、一般慣用のワイヤー止め方法によれば、虫ねじのような小さな部品を紛失する場合がある他、ねじの圧接によるワイヤーの固定が不完全になって、使用中に弛みを生じ易い欠点があるが、図４に示すように大径部２３を設けた本発明によればワイヤーの損傷が防がれ、耐久性を増すことができ、不良品の発生を排除できる。
【００１６】
なお、本発明の実施に際して、採用する自転車用錠は前述のようにサークル錠に限らない。例えば本発明に係るワイヤー１９を施錠、開錠に連動させる錠前としては、直線状に進退する錠杆を備えた箱錠のような錠前であってもよいことはいうまでもない。
また、ロックホルダー６によるロックピン１１の保持方向は上下の縦方向に限らず、車体に交差する横方向あるいは回転させるように構成する場合もある。
【００１７】
【発明の効果】
前記のように構成され、上記のように用いられるようにした本発明によれば、スタンドを立てた自転車の駐輪状態が、自転車用錠の施錠操作と共にロックピンとストッパーとの係合による施錠ができる。したがって、盗難防止効果がきわめてたかくなるとともに、自転車の安全走行を可能にするなど、きわめて有用である。
【図面の簡単な説明】
【図１】図１は、本発明装置を取り付けたスタンド部分の撥ね上げ状態を示す側面図
【図２】図２は、スタンドを立ててスタンドロックを掛けた状態の側面図
【図３】図３は、本発明に使用するサークル錠の施錠とワイヤーとの関連を錠前の裏側から説明する略示図
【図４】図４は、サークル錠の施錠に連動するワイヤーとロックホルダーおよびロックピンとの関連を示す一部切欠立面図
【図５】図５は、ワイヤーの末端部を虫ねじで固定する場合の一部切欠立面図
【図６】図６は、ロックホルダー部分およびロックピンの底面図である。
【符号の説明】
１  取付け板
２  脚部
３  ロック板
４  枢着軸
５  スタンド牽引用ばね
６  ロックホルダー  （６ａ  上部支持板、６ｂ  下部支持板、６ｃ  上部軸孔、６ｄ  下部軸孔）
７  支点軸
８  掛止部
９  ロック部
１０  ストッパー
１１  ロックピン
１２  自転車用錠（サークル錠）
１３  錠杆  （１３’  錠杆の先端部）
１４  錠ケース
１５  開口部
１６  連動ピン
１７  ガイド部
１８  スライダー  （１８’  復元ばね、１８”  往復行程）
１９  ワイヤー  （１９’  基端部、１９”  末端部）
２０  支持軸  （２０’  雌ねじ）
２１  ばね受け
２２  復元ばね
２３  大径部
２４  アジャストボルト
２５  当接部
２６  ナット
２７  嵌合指示線
２８  ねじ孔
２９  虫ねじ
３０  カバー
【図１】
2004284502.tif 000003
【図２】
2004284502.tif 000004
【図３】
2004284502.tif 000005
【図４】
2004284502.tif 000006
【図５】
2004284502.tif 000007
【図６】
2004284502.tif 000008